(57)【要約】      （修正有）【課題】音質向上を図るため、オーディオ機器と床面の間にインシュレータを設置したオーディオ・システムにおいて、オーディオ機器に地震波などによる衝撃的な外乱荷重が加わったときに、オーディオ機器の転倒を防止する。【解決手段】オーディオ機器の設置面側に支持部材１８を設けて、かつこの支持部材１８にインシュレータ本体部１０を装着する勘合部１９を形成する。オーディオ機器の通常使用時において、インシュレータ本体部１０は前記勘合部１９に対して半径方向に移動できないように規制されるため、衝撃的な水平方向外乱荷重が加わってもインシュレータはオーディオ機器から容易には離脱せず、オーディオ機器の設置安定性を向上できる。【選択図】図１
2014128000.tif 000002
【特許請求の範囲】
【請求項１】
音質の向上を目的としてオーディオ機器に設置されるオーディオ用インシュレータにおいて、前記オーディオ用インシュレータはインシュレータ本体部と、前記オーディオ機器の設置面側に設けられた支持部材と、この支持部材に形成されて、かつ前記インシュレータ本体部を装着する勘合部から構成され、前記インシュレータ本体部は前記勘合部に対して水平方向の移動が拘束されて設置されることを特徴とするオーディオ用インシュレータ。
【請求項２】
前記インシュレータ本体部は前記勘合部に対して水平方向及び、垂直方向の移動が拘束されて設置されることを特徴とするオーディオ用インシュレータ。
【請求項３】
前記インシュレータ本体部は機械ばね、あるいは空気、あるいは磁性体で構成されるフローティング方式であることを特徴とする請求項１記載のオーディオ用インシュレータ。
【請求項４】
オーディオ機器の設置側に具備するスパイクあるいはコロ等が締結されるネジ部を利用して、前記支持部材を前記オーディオ機器に締結したことを特徴とする請求項１記載のオーディオ用インシュレータ。
【請求項５】
底面が概略平板形状で構成されたスピーカーにおいて、前記平板形状部材を上下で挟む挟持部材と、この挟持部材に設けられた前記支持部材から構成されることを特徴とする請求項１記載のオーディオ用インシュレータ。
【請求項６】
底部が薄板の概略スカートを履いた形状のスピーカーにおいて、前記薄板を挟む挟持部材と、この挟持部材に設けられた前記支持部材から構成されることを特徴とする請求項１記載のオーディオ用インシュレータ。
【請求項７】
底部が概略平胆面形状のスピーカーにおいて、このスピーカーの側面を挟む挟持部材と、この挟持部材に設けられた前記支持部材から構成されることを特徴とする請求項１記載のオーディオ用インシュレータ。
【請求項８】
前記インシュレータ本体部を前記勘合部に装着した状態で、前記インシュレータ本体部と前記支持部材の相対的な角度によって、前記インシュレータ本体部と前記支持部材の軸方向の離脱可否が設定できるように構成したことを特徴とする請求項２記載のオーディオ用インシュレータ。
【請求項９】
インシュレータ本体高さの上限値Hmaxと下限値Hminが設定できるフローティング方式のオーディオ用インシュレータにおいて、このインシュレータ複数個の上にオーディオ機器を搭載した平衡状態におけるインシュレータ本体高さをHeqとして、前記Hmaxと前記Heqとの差、及び、前記Hminと前記Heqとの差が所定の範囲になるように前記上限値Hmaxと前記下限値Hminを調節したことを特徴とするオーディオ用インシュレータ。
【請求項１０】
スピーカーの設置側に具備するスパイクあるいはコロ等が締結されるネジ部を利用して、外付け平板と前記スピーカーを締結し、前記の外付け平板の底面に配置されたフローティング方式インシュレータにより前記スピーカーを支持したことを特徴とするオーディオ・システム。
【請求項１１】
オーディオ機器の設置側に具備するスパイクなどの突出部を収納する貫通部を外付け平板に形成し、この外付け平板の上部に前記オーディオ機器を搭載し、前記外付け平板の底面に配置されたフローティング方式インシュレータにより前記オーディオ機器を支持したことを特徴とするオーディオ・システム。
【請求項１２】
スパイクなどのオーディオ機器支持部材間の間隔が異なるオーディオ機器が共有化できるように、前記貫通部を概略横長形状、あるいは、複数個の貫通穴としたことを特徴とする請求項１１記載のオーディオ・システム。
【請求項１３】
オーディオ機器を支持するフローティング方式インシュレータと並列に、オーディオ機器底面からの突き出し量が調整可能な傾斜規制手段を前記オーディオ機器底面近傍に装着し、オーディオ機器の通常の使用時において、前記傾斜規制手段の先端と床面間が所定のギャップを保つように設定される構成であることを特徴とするオーディオ・システム。
【請求項１４】
床面に設置する底板と、オーディオ機器が搭載される天板と、この天板を支える支柱から構成されるスピーカー・スタンドにおいて、前記天板を上下から挟持して前記天板に固定されるスタンド用挟持部材と、このスタンド用挟持部材に設置され、かつ上部にオーディオ機器が搭載されるインシュレータから構成され、前記インシュレータは前記スタンド用挟持部材に対して水平方向、又は、水平方向と垂直方向の移動が拘束されて設置されることを特徴とするオーディオ・システム。
【請求項１５】
リスナーが適切なリスニング・ポジションで聴くために、床面に対して高所に置かれた棚の上にスピーカーが設置されるオーディオ機器において、前記棚を構成する棚板を上下から挟持して前記棚板に固定される棚用挟持部材と、この棚用挟持部材に設置され、かつ上部にスピーカーが搭載されるインシュレータから構成され、前記インシュレータは前記棚用挟持部材に対して水平方向、又は、水平方向と垂直方向の移動が拘束されて設置されることを特徴とするオーディオ・システム。
【請求項１６】
請求項９記載のオーディオ用インシュレータを用いたことを特徴とするオーディオ・システムの設置方法。
【発明の詳細な説明】
【技術分野】
【０００１】
本発明は音質向上を目的として、スピーカー、アンプ、ＣＤプレイヤー、アナログプレイヤー等に用いられるオーディオ用インシュレータに関するもので、このインシュレータをオーディオ機器に安定に設置するためのインシュレータとオーディオ機器の構造及び設置方法に関するものである。
【背景技術】
【０００２】
オーディオの分野においては、原音に限りなく近い音の追及が、オーディオ機器である、アンプ、スピーカー、ＣＤプレイヤー、ケーブルなどの各コンポーネンツにおいてなされてきた。アナログからデジタルの時代に移行し、様々な革新的技術が投入されたにもかかわらず、録音から再生に至る過程の技術にはまだ限界があって、人間の聴覚が知覚する程には、原音を忠実に再現できないのが現状である。オーディオ機器が原音（たとえばオーケストラの生演奏の音）に追従できない要因の一つに、振動がオーディオ機器に与える影響がある。周知のように、オーディオ機器は自ら振動を発生するとともに、外部から様々な振動の影響を受けている。アンプの場合は電源トランスの交流基本信号とその高調波成分による「うなり」が発生する。CDプレイヤーの場合はディスクを回すモーターが振動源となる。スピーカーの場合、コーンを駆動するボイスコイルの反力がスピーカー・エンクロージャー（箱）本体を振動させる。この振動がスピーカーを設置した床面に伝達され、床面を含む部屋全体の持つ複雑な固有振動モードを励起させる。原音に複雑に重畳された外乱振動は、再びスピーカー本体を振動させる。この時発生する混変調歪（サブハーモニクス）がオーディオ機器の音質を劣化させるという仮説が提唱されているが、オーディオ機器と設置面との間の相互干渉による振動が、再生音の品位を低下させる重要な要因であるという点は、間違いのない事実であると思われる。
【０００３】
オーディオ機器の音質を改善する手段のひとつとして、インシュレータがある。アナログ時代、ハウリングを抑止するために、インシュレータは主にアナログプレイヤーと床面との間に設置され、振動の伝達を遮断する手段として必須のものであった。アナログからCDプレイヤーに移行して、インシュレータはハウリング防止対策ではなく、オーディオ機器の音質を改善し、リスナーの好みの音に調整するチューニング手段として用いられるようになった。インシュレータの適用により、音質が変ることは良く知られているが、その効果をもたらすメカニズムについては、理論的に十分解明されているとは言えず、経験的、試行錯誤的に開発されたものが多い。過去、インシュレータとして用いられているものに、次の二つのタイプがある。
【０００４】
（１）フローティング方式インシュレータ
このタイプのインシュレータは、振動の遮断（シャットアウト）を目的としたもので、剛性の小さい緩衝体が用いられる。緩衝体として、ゴム材を用いたもの、スプリングコイルを用いるもの、空気を封じ込めたエアーフローティング・ボード、磁力の反発力を利用したものなどがある。
【０００５】
（２）硬質材料によるインシュレータ
インシュレータのもうひとつのタイプは硬質材を用いるものである。近年、前述した緩衝体に代わり、オーディオ機器が発生する振動を効果的に吸収し、外部へ逃すことを目的とした硬質材、たとえば、木材、樹脂、金属、セラミック等を用いたものが考案され商品化されている。硬質インシュレータの場合は、良質な音響素材のキャラクターを利用した再生音のチューニング手段として用いられる。
【０００６】
たとえば、
（ｉ）金属系材料 
真鍮：キラリとした明るいブリリアントな響き 
銅：重厚感があってパワフル
銀：芯のとおりが良く、音の立ち上がり・立ち下がりが素早い
金：ふくよかさで艶やか 
【０００７】
（ｉｉ）木材系材料 
アフリカ黒檀：固いが刺激的ではない音（楽器に使用される）
縞黒檀：アフリカ黒檀より柔らかい
桜：柔らかく芳純 
【０００８】
上記（ｉ）（ｉｉ）は、オーディオ機器の特性、あるいは再生する音楽ジャンルなどに合せて、リスナーの好みに合せて選択される。
【０００９】
図２８は従来インシュレータの一例を示すもので、前述した(1)フローティング方式（ゴム材）と、(2)硬質材料式（真鋳）を組み合わせた複合タイプのインシュレータを示すものである。６５０は真鋳の削り出し部材で形成された中間部材、６５１は防振ゴム（ハネナイト）で形成された上部支持部材、６５２は同様に防振ゴムで形成された下部支持部材である。ハネナイトは、衝撃・振動吸収性を有する制振性能に優れたゴムで、外力を受けてもほとんど反発せずエネルギーを吸収するとされる。部材６５０、６５１、６５２により、３層ハイブリッド構造（複合タイプ）によるオーディオ用インシュレータを構成している。
【００１０】
図２９は従来フローティング方式インシュレータ（特許文献１）を示すものである。このフローティング方式はワイヤとＵ字状ばねから構成される。第１の支持部材６２５は、その下面が第１の物体６０８上端の第１の水平面６０８Ａに当接する円板状の底板部６２６と、所定長の３本の支柱部６２７を介して底板部６２６と結合された三角形の平板状のバネ台部６２８とからなり、十分な剛性を備えた材料で構成されている。弾性部材であるバネ６２９は、所定厚および幅の弾性金属板を略Ｕ字状に成形したもので、その長辺の一方（図の下辺部）がバネ台部６２８に結合されており、その長辺の他方（図の上辺部）にワイヤ６１３の上端が結合されている。なお、ワイヤ６１３の下端は、バネ６２９の一部に設けられた穴６２９ａおよびバネ台部６２８の一部に設けられた穴６２８ａを貫通して後述する第２の支持部材６３０の下蓋部６３３に結合されている。
【００１１】
第２の支持部材６３０は、その上面が第２の物体６０９の第２の水平面６０９Ａに当接する円板状の上蓋部６３１と、上下方向が先のバネ台部６２８と底板部６２６との間に位置するように配置されその３箇所に支柱部６２７を挿通させる穴６３３ａを設けた円板状の下蓋部６３３と、上蓋部６３１と下蓋部６３３との周縁に嵌合された円筒状の側辺部６３２と、その下端が下蓋部６３３に結合されその上端が図示を省略したネジ構造で上蓋部６３１に着脱自在に結合される２本の支柱部６３４とから構成され、全体として十分な剛性を備えた材料で構成されている。そして、下蓋部６３３の中央にワイヤ６１３の下端が結合されている。
【００１２】
上記発明によれば、第２の物体６０９の１箇所を１本のワイヤ６１３の下端で吊り下げるという、シンプルで自由に振動できる構造が実現し、第２の物体６０９の横方向の振動が第１の物体６０８から確実に分離絶縁した状態が実現する。また、第２の物体６０９の縦方向の振動は、同じ１本のワイヤ６１３の上端に連なる弾性部材の弾性変形で吸収され第１の物体６０８から確実に分離絶縁した状態が実現し、不要な振動成分が付加されない優れた振動伝達遮断特性が得られる、としている。
【００１３】
前述したフローティング方式[上記(1)の方式]と硬質材料式[上記(2)の方式]の両方の特徴を併せもつオーディオ用インシュレータが、本発明者らの提案によって、特開2012-48808号（特許文献２）に開示（図３０）されている。
【００１４】
図３０(a)は図３０(b)のA-A断面図、図３０(b)は正面断面図である。８００はインシュレータ本体、８０１は上部スリーブ（風鈴部材）、８０２は下部スリーブ、８０３は下部スリーブ８０２の中央部に突設して形成された筒部、８０４は筒部８０３の外周部に装着されたサージング防止部材（振動発生防止手段）である。上部スリーブ８０１は下部スリーブ８０２上部に配置され、上記両スリーブの内部に弾性部材であるスプリングコイル８０５が設けられている。８０６は上部スリーブ８０１の上端面でオーディオ機器（図示せず）を搭載する荷重支持部、８０７はインシュレータ設置面（床面）である。すなわち、上部スリーブ８０１内部はスプリングコイル８０５を収納する空洞を有し、一方の端部を密閉構造、もう一方の端部を大気解放端（自由端）とする筒型形状、すなわち、「風鈴」に近い形状となっている。上記インシュレータは、下記(1)(2)を「同時に併せ持つ」ことを特徴とするものである。
【００１５】
（１）低周波可聴域での振動の完全遮断効果
搭載物の質量とばね剛性で決まる２次振動系の周波数特性により、可聴域における低周波振動のほぼ完全な遮断作用が得られる。この振動遮断効果によりオーディオ機器と設置面との間の相互干渉による振動が再生音に与える影響（たとえば、混変調歪の発生）を回避できる。
【００１６】
（２）従来硬質材料インシュレータを超える高周波振動のアシスト効果
オーディオ機器から伝搬される主振動の主伝播経路に対して、上部スリーブ８０１
（風鈴部材）は並列に配置されている。スピーカーのボイスコイル反力によって、上部スリーブ８０１には高周波数における様々な振動モードが励起される。これらの共振モードに加えて、余韻・ゆらぎなどを有する風鈴の音響振動特性が音像の定位感、分解能、透明感、スケール感などの音響特性向上効果をもたらすのである。
【００１７】
すなわち上記インシュレータは、従来のフローティング方式インシュレータと硬質材料インシュレータの両方の長所を併せもつと共に、従来硬質材料インシュレータをはるかに上回る音響特性の向上が図れる、としている。
【先行技術文献】
【特許文献】
【００１８】
【特許文献１】特開2011-27249号
【特許文献２】特開2012-48808号
【特許文献３】特開平10-246284号
【発明の概要】
【発明が解決しようとする課題】
【００１９】
さて、床面に設置したオーディオ機器に衝撃的な外乱荷重が加わったときに、オーディオ機器の水平方向の移動と転倒とをどうやって防止するかは実用上極めて重要な課題である。高価なオーディオ機器と周辺に配置された家具を損傷させるだけではなく、荷重が50〜100Kg、あるいはそれ以上の大型スピーカーでは人身事故にも繋がりかねない危険を有する。オーディオ機器の音質向上を図るために、オーディオ機器底面と床面の間に前述したインシュレータを設置した場合、インシュレータには上記危険を回避する方策が要望される。
【００２０】
図２８で前述した３層ハイブリッド構造によるインシュレータの上部支持部材６５１の上にスピーカーが設置された場合を想定する。この場合、スピーカーに衝撃的な水平方向の外乱が加わっても、スピーカーの底面に密着した摩擦係数の大きな防振ゴム（ハネナイト）により、スピーカーの横滑りを防止する効果が得られる。この防振ゴムにより、スピーカーの横滑り防止効果に加えて、オーディオ機器と設置床面間の相互干渉による振動を抑制する作用が得られる。前述したように、オーディオ機器と設置床面間の相互干渉による振動は、混変調歪の発生をもたらすのである。しかし、防振ゴムの粘弾性による過剰な制振作用は、音に生気を与える高周波数成分（楽器の倍音成分）まで減衰させてしまうため、再生音の輪郭（音像定位感）が曖昧となり、音質に混濁感が生じるという欠点があった。上記インシュレータに限らず、スピーカー底面と床面間にインシュレータを介在させ、スピーカー底面と床面間の振動伝達経路に減衰性の大きなゴム材（ゴムシート等）を介在させると、音質を低下させる大きな要因となるため、高音質を追求するマニアは回避する場合が多い。
【００２１】
図３０で示した既提案インシュレータの場合、スプリングコイルを内部に収納するために、インシュレータの高さＨは高くならざるを得ない。本方式に限らず、ワイヤとＵ字状ばねによる図２９による方式、あるいは、空気ばね、磁石などで構成されるフローティング方式は、硬質材料式と比べて、インシュレータの高さＨは構造上高くならざるを得ない。図３１に示すように、インシュレータ８００を床面に４箇所配置して、その上に搭載したスピーカー７５０に、衝撃的な水平方向外乱荷重FYが、スピーカー７５０の重心Gに加わった場合を想定する。この場合、インシュレータ８００に対してスピーカー７５０が相対的に水平移動することにより、スピーカー底面７５１はインシュレータ上面（上端面８０６）から離脱して、図３１(c)のごとく、スピーカー７５０は転倒する可能性が高い。上部スリーブ８０１の上端面８０６とスピーカー底面の間（図３０の鎖線Ｂで示す）に、摩擦係数が大きいゴムシート８０８（図３０(b)の想像線で示す）などを介在すれば、スピーカーの水平方向移動は多少なりとも抑制することができる。この場合、試聴実験の結果、次の問題点があることが分かった。摩擦係数が高く、かつ着脱が容易なゴムシートなどの材料は、同時に減衰性能も高く、図２８の従来例同様に、スピーカー７５０から上部スリーブ８０１（風鈴部材）に伝搬される高周波振動を減衰させてしまうのである。また、基音、倍音、余韻・ゆらぎなどの多くの要因で決まる音色を有する風鈴の振動系も振動発生が抑制される。その結果、既提案インシュレータの特徴とする音像の定位感、分解能、透明感、スケール感などの音響特性向上効果が大幅に損なわれてしまうのである。
【課題を解決するための手段】
【００２２】
具体的に、請求項１の発明は、音質の向上を目的としてオーディオ機器に設置されるオーディオ用インシュレータにおいて、前記オーディオ用インシュレータはインシュレータ本体部と、前記オーディオ機器の設置面側に設けられた支持部材と、この支持部材に形成されて、かつ前記インシュレータ本体部を装着する勘合部から構成され、前記インシュレータ本体部は前記勘合部に対して水平方向の移動が拘束されて設置されたものである。
【００２３】
すなわち、本発明においては、前記オーディオ用インシュレータに支持された前記オーディオ機器に衝撃的な水平方向外力が加わったときに、前記インシュレータ本体部は前記オーディオ機器に固定された支持部材に対して水平方向の移動が拘束されて設置されているために、前記オーディオ用インシュレータは前記オーディオ機器から容易には離脱できず、前記オーディオ機器の設置安定性を図ることができる。
【００２４】
具体的に、請求項２の発明は、前記インシュレータ本体部は前記勘合部に対して水平方向及び、垂直方向の移動が拘束されて設置されたものである。
【００２５】
すなわち、本発明においては、前記オーディオ用インシュレータに支持された前記オーディオ機器に水平方向外力だけではなく垂直方向外力が加わったときに、あるいは、前記オーディオ機器が床面上を移動して障害物に衝突した場合でも、前記インシュレータ本体部は前記オーディオ機器に固定された支持部材に対して水平方向と垂直方向に拘束されて設置されているために、前記インシュレータ本体部は前記オーディオ機器から容易には離脱できず、前記オーディオ機器の一層の設置安定性を図ることができる。
【００２６】
具体的に、請求項３の発明は、前記インシュレータ本体部は機械ばね、あるいは空気、あるいは磁性体で構成されるフローティング方式で構成したものである。
【００２７】
すなわち、本発明においては、硬質材料式と比べてインシュレータの高さが構造上高くならざるを得ないフローティング方式の場合でも、前記インシュレータ本体部は前記オーディオ機器から容易には離脱できず、前記オーディオ機器の設置安定性を図ることができる。
【００２８】
具体的に、請求項４の発明は、オーディオ機器が設置側に具備するスパイクあるいはコロ等が締結されるネジ部を利用して、前記支持部材を前記オーディオ機器に締結したものである。
【００２９】
すなわち、本発明においては、オーディオ機器に既に装着されているスパイク、あるいはコロなどを取り外し、そのネジ部を利用して本発明の対象となるオーディオ用インシュレータを装着することで、前記オーディオ機器の設置安定性を図ることができる。
【００３０】
具体的に、請求項５の発明は、底面が概略平板形状で構成されたスピーカーにおいて、前記平板形状部材を上下で挟む挟持部材と、この挟持部材に設けられた前記支持部材から構成したものである。
【００３１】
すなわち、本発明においては、前記平板形状部材を上下で挟む前記挟持部材と、この挟持部材に設けられた前記支持部材を利用して前記インシュレータ本体部を設置することにより、前記スピーカーの設置安定性を図ることができる。
【００３２】
具体的に、請求項６の発明は、底部が薄板の概略スカートを履いた形状のスピーカーにおいて、前記薄板を挟む挟持部材と、この挟持部材に設けられた前記支持部材から構成したものである。
【００３３】
すなわち、本発明においては、前記薄板を挟む前記挟持部材と、この挟持部材に設けられた前記支持部材から構成して、かつ、この支持部材を利用して前記インシュレータ本体部を設置することにより、前記スピーカーの設置安定性を図ることができる。
【００３４】
具体的に、請求項７の発明は、底部が概略平胆面形状のスピーカーにおいて、このスピーカーの側面を挟む挟持部材と、この挟持部材に設けられた前記支持部材から構成したものである。
【００３５】
すなわち、本発明においては、前記スピーカーの側面を挟む挟持部材と、この挟持部材に設けられた前記支持部材から構成して、かつ、この支持部材を利用して前記インシュレータ本体部を設置することにより、前記スピーカーの設置安定性を図ることができる。
【００３６】
具体的に、請求項８の発明は、前記インシュレータ本体部を前記勘合部に装着した状態で、前記インシュレータ本体部と前記支持部材の相対的な角度によって、前記インシュレータ本体部と前記支持部材の軸方向の離脱可否が設定できるように構成したものである。
【００３７】
すなわち、本発明においては、前記インシュレータ本体部と前記支持部材の相対的な角度によって、両部材の軸方向の離脱可否が設定できるため、前記インシュレータを前記オーディオ機器に装着する際の作業性向上と共に、前記オーディオ機器に対する前記インシュレータの離脱防止を着実に図ることができる。
【００３８】
具体的に、請求項９の発明は、インシュレータ本体高さの上限値Hmaxと下限値Hminが設定できるフローティング方式のオーディオ用インシュレータにおいて、このインシュレータ複数個の上にオーディオ機器を搭載した平衡状態におけるインシュレータ本体高さをHeqとして、前記Hmaxと前記Heqとの差、及び、前記Hminと前記Heqとの差が所定の範囲になるように前記上限値Hmaxと前記下限値Hminを調節する機能を有するオーディオ用インシュレータ、及びその設置方法を示すものである。
【００３９】
すなわち、本発明においては、上限値HmaxとHeqとの差、及び、Heqと下限値Hminとの差を僅少にできるため、オーディオ機器に加わる水平・垂直方向加振力による転倒防止対策に加えて、軸方向変形量の無い硬質インシュレータと同様な取り扱いができるフローティング方式インシュレータが実現できる。
【００４０】
具体的に、請求項１０の発明は、スピーカーの設置側に具備するスパイクあるいはコロ等が締結されるネジ部を利用して、外付け平板と前記スピーカーを締結し、前記の外付け平板の底面に配置されたフローティング方式インシュレータにより前記スピーカーを支持するように構成したものである。
【００４１】
すなわち、本発明においては、たとえば、スパイクでスピーカーを支持する場合の２つの支持点間隔L1に対して、前記外付け平板を設けてインシュレータで支持する場合の２つの支持点間隔をL2とする。L2＞L1とすれば、前記スピーカーを転倒させる衝撃的なモーメント荷重が加わった場合、設置安定性を向上できる。特にトールボーイ型と呼ばれる背の高いスピーカーの設置安定性の向上をおおいに図ることができる。
【００４２】
具体的に、請求項１１の発明は、オーディオ機器の設置側に具備するスパイクなどの突出部を収納する貫通部を外付け平板に形成し、この外付け平板の上部に前記オーディオ機器を搭載し、前記外付け平板の底面に配置されたフローティング方式インシュレータにより前記オーディオ機器を支持するように構成したものである。
【００４３】
すなわち、本発明においては、たとえば、スパイクを収納する貫通穴が形成された外付け平板をスピーカーの底部に装着し、かつスピーカー底面から離れた前記外付け平板の底面でフローティング方式インシュレータを設置することにより、外付け平板とスピーカーをねじ等で締結することなく、設置安定性の向上を簡便に図ることができる。
【００４４】
具体的に、請求項１２の発明は、スパイクなどのオーディオ機器支持部材間の間隔が異なるオーディオ機器が共有化できるように、前記貫通部を概略横長形状、あるいは、複数個の貫通穴としたものである。
【００４５】
すなわち、本発明においては、請求項１１の発明における前記貫通穴の開口部形状を、たとえば横長にする、あるいは複数個の貫通穴とすることで、スパイク支持間隔が異なる様々なオーディオ機器に対して、前記平板を共有化して利用できる。
【００４６】
具体的に、請求項１３の発明は、オーディオ機器を支持するフローティング方式インシュレータと並列に、オーディオ機器底面からの突き出し量が調整可能な傾斜規制手段を前記オーディオ機器底面近傍に装着し、オーディオ機器の通常の使用時において、前記傾斜規制手段の先端と床面間が所定のギャップを保つように設定したものである。
【００４７】
すなわち、本発明においては、インシュレータにフローティング方式を用いた場合、前記傾斜規制手段の先端と床面間が僅かなギャップを保つように設定することで、オーディオ機器の設置安定性をおおいに向上できる。
【００４８】
具体的に、請求項１４の発明は、床面に設置する底板と、オーディオ機器が搭載される天板と、この天板を支える支柱から構成されるスピーカー・スタンドにおいて、前記天板を上下から挟持して前記天板に固定されるスタンド用挟持部材と、このスタンド用挟持部材に設置され、かつ上部にオーディオ機器が搭載されるインシュレータから構成され、前記インシュレータは前記スタンド用挟持部材に対して水平方向、又は、水平方向と垂直方向の移動が拘束されて設置されたものである。
【００４９】
すなわち、本発明においては、オーディオ機器がスピーカー・スタンドの天板に設置される場合でも、前記スタンド用挟持部材の適用により、前記インシュレータの水平方向と垂直方向の移動を拘束して、前記インシュレータの安定設置を図ることができる。
【００５０】
具体的に、請求項１５の発明は、リスナーが適切なリスニング・ポジションで聴くために、床面に対して高所に置かれた棚の上にスピーカーが設置されるオーディオ機器において、前記棚を構成する棚板を上下から挟持して前記棚板に固定される棚用挟持部材と、この棚用挟持部材に設置され、かつ上部にスピーカーが搭載されるインシュレータから構成され、前記インシュレータは前記棚用挟持部材に対して水平方向、又は、水平方向と垂直方向の移動が拘束されて設置されたものである。
【００５１】
すなわち、本発明においては、スピーカーが高所の棚に設置される場合でも、前記棚用挟持部材の適用により、前記インシュレータの水平方向と垂直方向の移動を拘束して、前記インシュレータの安定設置を図ることができる。
【００５２】
請求項１乃至１５のいずれかに記載のオーディオン用インシュレータを用いたオーディオ・システムであれば、外力によるオーディオ機器の転倒等を好適に防ぐことができる。
【発明の効果】
【００５３】
音質向上を図るために、オーディオ機器と床面の間にインシュレータを設置したオーディオ・システムにおいて、オーディオ機器に地震波などによる衝撃的な外乱荷重が加わったときに、インシュレータ本体部は前記オーディオ機器に対して移動できないように規制されるため、インシュレータはオーディオ機器から容易には離脱せず、オーディオ機器の設置安定性を向上できる。その効果は顕著である。
【図面の簡単な説明】
【００５４】
【図１】本発明の実施形態１に係るオーディオ用インシュレータを示す図で、図１(a)はスペーサ部の正面断面図、図１(b)は本発明を適用したフローティング方式インシュレータ本体部の正面断面図。
【図２】図２(a)はスペーサ部の上面図、図２(b)は正面断面図。
【図３】図３(a)はスピーカー底面にスパイクが装着されている状態を示す図、図３(b)はスペーサ部をスピーカーの底面に設置する図、図３(c)はインシュレータ本体部をスペーサに装着した状態を示す図。
【図４】図４(a)は実施形態１のインシュレータをスピーカーの底面に装着した状態を示す図、図４(b)は、スペーサ部とインシュレータ本体部を離脱した状態を示す図。
【図５】本実施形態１に適用したインシュレータの一例を示す図で、図５(a)は上面図、図５(ｂ)は正面断面図。
【図６】本発明の実施形態２に係るインシュレータを示す図で、図６(a)はスペーサ部の上面図、図６(b)は本発明を適用したフローティング方式インシュレータ本体部の正面図、図６(c)は図６(a)のCC断面図。
【図７】従来スピーカーに、本実施形態インシュレータ装着した矢視図。
【図８】本発明の実施形態３に係るインシュレータの正面断面図。
【図９】本発明の実施形態３を適用したスピーカーの正面図。
【図１０】本発明の実施形態４に係るインシュレータの正面断面図。
【図１１】本発明の本実施形態４のインシュレータを装着したスピーカーの矢視図。
【図１２】本発明の実施形態５に係るインシュレータをスピーカーに装着した状態を示す図で、図１２(a)は図１２(b)のA-A断面図、図１２(b)は正面図。
【図１３】実施形態５のインシュレータの部分拡大図。
【図１４】本実施形態５のインシュレータをスピーカーに装着した矢視図。
【図１５】本発明の実施形態６に係るインシュレータをスピーカーに装着した状態を示す図で、図１５(a)は図１５(b)のスピーカー本体を除くA-A断面図、図１５(b)は正面図。
【図１６】本発明の実施形態７に係るオーディオ用インシュレータを示すもので、図１６(a)はインシュレータ本体部の上面図、図１６(b)は正面断面図。
【図１７】図１７(a)はインシュレータ本体部と勘合するスペーサ本体の上面図、図１７(b)は正面断面図。
【図１８】図１８(a)は、スピーカー底面にスペーサ部が装着されている状態を示す正面断面図、図１８(b)はインシュレータ本体部を示す正面図、図１８(c)はスペーサ部にインシュレータ本体部が装着完了した状態を示す図、図１８(d)は図１８(c)の部分拡大図。
【図１９】図１９(a)、図１９(b)はスペーサ部に「開」「閉」のマーキングをした図。
【図２０】本発明の実施形態８に係るオーディオ用インシュレータの正面図。
【図２１】図２１(a)〜図２１(c)はインシュレータを設置したスピーカーに、衝撃的水平方向外乱荷重加わるときのスピーカーの転倒を示す図。
【図２２】図２２(a)〜図２２(c)はインシュレータを設置したスピーカーに、衝撃的水平方向外乱荷重加わるときのスピーカーの転倒防止を示す図。
【図２３】本発明の実施形態９に係るオーディオ用インシュレータ、及びオーディオ装置を示す正面図。
【図２４】本発明の実施形態９のインシュレータ近傍の部分拡大図。
【図２５】本発明の実施形態１０に係るオーディオ用インシュレータで、図２５(a)は平板の上にスピーカーが搭載された状態を示す正面図、図２５(b)は前記平板の上面図。
【図２６】本発明の実施形態１１に係るオーディオ用インシュレータを示す図で、図２６(a)はインシュレータの高さが上限値、図２６(b)は下限値を示す正面断面図。
【図２７】本発明の実施形態１２に係るオーディオ用インシュレータで、図２７(a)は図２７(b)のD-D矢視図、図２７(b)はスピーカー・スタンドに本発明を適用してスピーカーを設置する場合の正面図、図２７(c)は図２７(b)のBB部拡大図。
【図２８】従来の複合タイプインシュレータを示す図。
【図２９】従来のワイヤとＵ字状ばねから構成されるフローティング方式インシュレータを示す図。
【図３０】既提案のフローティング方式インシュレータを示す図で、図３０(a)は図３０(b)のA-A断面図、図３０(b)は正面断面図。
【図３１】図３１(a)〜図３１(c)はインシュレータの上に搭載したスピーカーに、衝撃的な水平方向外乱荷重が、加わった場合のスピーカーの転倒を示す図。
【図３２】スパイクで支持されるスピーカーを示す図で、図３２(a)は全体の矢視図、図３２(b)はスパイク部の部分拡大図。
【図３３】コロで支持されるスピーカーを示す図で、図３３(a)は全体の矢視図、図３３(b)はコロ部の上面図、図３３(c)はコロ部の正面図。
【図３４】底面から水平方向に枝のように伸びた支持体にスパイクが装着されているスピーカーを示す図で、図３４(a)は全体の矢視図、図３４(b)はスパイク部の正面図。
【図３５】広い面積の平板部材だけで自重を支持するスピーカーの矢視図。
【図３６】底部の構造がスカートを履いた形状で床面に設置するスピーカーを示す図で、図３６(a)は図３６(b)のA-A断面図、図３６(b)は正面図。
【発明を実施するための形態】
【００５５】
[第１実施形態]
図１は、本発明の実施形態１に係るオーディオ用インシュレータを示すもので、インシュレータに支持されたオーディオ機器であるスピーカーに衝撃的な水平方向外力が加わったときに、インシュレータとスピーカーが容易には離脱できない構造を実現するものである。すなわち、本実施形態１では、スピーカーが設置側に具備するスパイクが締結されるネジ部を利用して、インシュレータの上端部を収納するスペーサ部（支持部材）を、ボルトを用いて前記ネジ部に固定する。この構成により、オーディオ機器の通常使用時において、前記スペーサに対してインシュレータ本体部は水平方向に離脱できないように勘合したものである。すなわち、前記インシュレータ本体部は前記勘合部に対して水平方向の移動が拘束されて設置されている。図１(a)、及び図１(b)は、本発明の実施形態１に係るオーディオ用インシュレータの正面断面図であり、図１(a)はスペーサ部、図１(b)は本発明を適用したフローティング方式インシュレータ本体部を示す。１０はインシュレータ本体部、１１は上部スリーブ、１２は下部スリーブ、１３は上部スリーブ１１の上端面に形成された凸部である。１５はボルト、１６はボルトの頭部、１７は前記ボルトのネジ部である。
【００５６】
１８はスペーサ部（支持部材）、１９は前記インシュレータ本体部に形成された凸部１３と着脱可能に形成された凹部（勘合部）、２０はボルト頭部１６の収納部である。図１(b)にインシュレータ本体部１０に装着された状態のスペーサ部１８とボルト１５を鎖線で示している。図２(a)はボルト１５が挿入された状態のスペーサ部の上面図、図２(b)は正面断面図である。上部スリーブ１１は下部スリーブ２２上部に配置され、両スリーブ１１、１２の内部に弾性部材（図示せず）が設けられている。ここで、本明細書における弾性部材とは、「上下の部材で挟持されて、オーディオ機器の荷重を支持する部材」と広義に解釈する。フローティグ方式インシュレータの場合は、機械ばねであるスプリングコイル、空気ばね、磁石、あるいは、ワイヤとＵ字状ばねで構成される構造などを指す。
【００５７】
図３は、スピーカーに装着されているスパイクを、本発明のオーディオ用インシュレータに置き換える手順を示す図である。図３(a)は、スピーカー本体９００の底面にスパイク９０１が装着されている状態を示し、９０２はスパイク９０１のネジ部、９０３はナット、９０４はスパイク円筒部、９０５はスパイク円錐部である。
【００５８】
図３２に本発明を適用するスピーカーの一例を示す。通常スパイクの先端は、床面上に配置された受け皿９０６(a)〜９０６(d)（９０６(d)は図示せず）と組み合わせて設置される。また、このスパイク９０１は、スピーカー本体９００に対して、ネジ部９０２とナット９０３を利用して、着脱可能に構成されている場合が多い。
【００５９】
図３(b)は、上記スパイク９０１をスピーカー９００から取り外し、スパイク９０１用のネジ部９０２と同種類のネジ部１７を有するボルト１５を用いて、スペーサ部１８をスピーカー９００の底面に設置する。
【００６０】
図３(c)は、インシュレータ本体部１０をスペーサ部１８に装着した状態を示す。
インシュレータ本体部１０に形成された凸部１３は、スペーサ部１８に形成された凹部１９と着脱可能に勘合される。
【００６１】
図４は本発明のオーディオ用インシュレータを適用したスピーカーの外観図を示すもので、図４(a)は、本発明インシュレータをスピーカー本体底面の４隅に装着した状態、図４(b)は、１セット分だけスペーサ部１８とインシュレータ本体部１０を離脱した状態を示す図である。
【００６２】
スピーカーに加わる地震波を想定する。この場合、スピーカーには、水平方向加速度αHと共に、垂直方向の加速度αVが加わる。この垂直方向加速度αVによって、スピーカーの「みかけの重量」が低減する。スピーカー底面と設置面間の摩擦係数をμとすれば、スピーカーを水平方向に移動させる加速度αHmax＞(980-αV）μである。たとえば、μ=0.15、αV=250Galと仮定すれば、αHmax =109.5Galである。したがって、スピーカーは垂直方向加速度αVと比べて、より小さな水平方向加速度αHmaxによって、容易に設置面上を移動する。本発明をスピーカー用インシュレータに適用することにより、スピーカーに水平方向外力（加速度αH）が加わっても、インシュレータとスピーカーは一体で水平方向に移動する。そのため、図３１で示したような、インシュレータとスピーカーが離脱することによるスピーカーの大きな傾斜は発生せず、転倒の可能性を小さくできる。
【００６３】
本発明のその他の実施形態にも共通するが、オーディオ機器に加わる衝撃的な外力によって、インシュレータをオーディオ機器から離脱させない本発明は、インシュレータの形式を問わず、たとえば背の高い硬質材料インシュレータにも適用できる。硬質材料インシュレータの場合、上部スリーブ１１と下部スリーブ１２による２つの部品の組み合わせによるインシュレータ構造（たとえば、図１(b)）ではなく、両部品が一体化した構造となる。この場合、スペーサ１８の凹部１９（勘合部）の内径よりも小さな外径（あるいは４角形形状の場合は対角線の長さ）の硬質インシュレータを、前記凹部に収納するように配置すればよい。
【００６４】
図５は、本実施形態に適用したオーディオ用インシュレータの一例を示すものである。図５(a)は上面図、図５(ｂ)は正面断面図である。５１は風鈴部材である上部スリーブ、５２は下部スリーブ、５３は下部スリーブ５２の中央部に設置されたサージング防止部材（振動発生防止手段）である。本実施形態では、上部スリーブ５１と下部スリーブ５２は音響用材料として良好な特性を有する真鍮を用いた。上部スリーブ５１は下部スリーブ５２上部に配置され、両スリーブ５１、５２の内部に弾性部材であるスプリングコイル５４が設けられている。５５、５６はスプリングコイル５４を装着した状態で、両スリーブ５１，５２の軸芯が一致した状態を保つための両スリーブに形成された位置決め部である。サージング防止部材５３は、スプリングコイル５４の内周面に、変形して常に接触した状態を保っている。５７は上部スリーブ５１の上端面に形成された凸部（図１の１３に相当）であり、スピーカー底面に装着されるスペーサ部（図１の１８相当）に形成された凹部（図１の１９相当）とボルト（図１の１５相当）と勘合される。前記スペーサ部と前記ボルトを想像線で図示している。５８は上部スリーブ５１と下部スリーブ５２の離脱を防止するための締結ボルト、５９はこの締結ボルトの頭部を収納する下部スリーブ５２に形成された筒部である。６０は床面、６１は前記上部スリーブの開口端、６２は床面６０と下部スリーブ５２の間に設けられた滑り止めシートである。すなわち、上部スリーブ内部はスプリング構造部を収納する空洞を有し、一方の端部を密閉構造、もう一方の端部を大気解放端（自由端）とする筒型形状、すなわち、「風鈴」に近い形状となっている。風鈴が糸で吊り下げられて妙なる音色を奏でることができるように、上部スリーブ５１の上端部は完全固定ではなく、X軸、Y軸、Z軸方向はスプリングコイル５４により弾性支持されている。
【００６５】
スペーサ部１８の上部に装着されるスピーカーのボイスコイル反力は、図５a、図５bに示すように、X軸、Y軸、Z軸の３軸方向から本インシュレータを加振する。すなわち、各軸はfx、fY、fzの加振力成分を有し、ベクトルで表現すれば、F=fx・ｉ+fY・j+fz・kである。本実施形態では、スピーカーとインシュレータ間の振動伝搬経路に粘弾性ゴムなどの減衰要素を介在しないために、スピーカーの振動は減衰することなく、上部スリーブ５１（風鈴部材）を加振する。スプリングコイル５４で支持された上部スリーブ５１には、前記加振力Fによって、高周波数における様々な振動モードが励起される。これらの共振モードに加えて、余韻・ゆらぎなどを有する風鈴（上部スリーブ５１）の音響振動特性が音像の定位感、分解能、透明感、スケール感などの音響特性向上効果（風鈴効果と呼ぶ）をもたらすのである。床面６０と下部スリーブ５２の間に設けられた滑り止めシート６２はゴム、コルクなどの材料から選択される。
【００６６】
図３０の既提案インシュレータで説明したように、スピーカー側から上部スリーブ５１に至る伝達経路に、スピーカーの横滑りを防止するために、摩擦係数が高く、かつ同時に減衰性能も高いゴムシートなどの材料を装着した場合、スピーカー側から上部スリーブ５１（風鈴部材）に伝搬される高周波振動を減衰させてしまう。また、基音、倍音、余韻・ゆらぎなどの多くの要因で決まる音色を有する風鈴の振動系も振動発生が抑制される。その結果、既提案インシュレータの特徴とする音像の定位感、分解能、透明感、スケール感などの音響特性向上効果が大幅に損なわれてしまうのである。
【００６７】
しかし、本実施形態のように、床面６０と下部スリーブ５２の間にゴムなどの滑り止めシート６２を介在しても、音響特性を損なう要因にはならないことが分かった。その理由は、上部スリーブ５１と下部スリーブ５２間は、スプリングコイル５４のばね定数と搭載物（オーディオ機器）の質量で決まる２次振動系の伝達特性により、振動遮断が図られているからである。すなわち本実施形態では、スピーカーに加わる水平方向加振力によるインシュレータの離脱防止と、インシュレータと床面間の滑り止め効果に加えて、上記風鈴効果による音響特性向上の３つの効果を併せもつことができる。
滑り止めシート６２に両面シートを兼ねたゴムを用いて、あるいは、たとえばコルク材にさらに両面シートを装着するなどの方策を施せば、床面とオーディオ用インシュレータを固定できる。その結果、オーディオ機器の設置安定性を一層向上することができる。
【００６８】
以下述べる実施形態も同様であるが、本実施形態では、インシュレータ側の凸部５７を収納するスペーサ部（支持部材）側の勘合部１９は凹面形状で形成した。以下、本発明のすべての実施形態に共通するが、両部材の形状は逆でも良く、インシュレータ側を凹面形状とし、この凹部にスペーサ側の凸部が勘合する構成でもよい(図示せず)。
【００６９】
[第２実施形態]
図６は、本発明の実施形態２に係るオーディオ用インシュレータを示すもので、第１実施形態同様に、インシュレータに支持されたオーディオ機器に衝撃的な水平方向外力が加わったときに、インシュレータとオーディオ機器が容易には離脱できない構造を実現するものである。すなわち、本実施形態では、スピーカーが設置側に具備するコロ（球体）などが収納されたユニットを締結するネジ部を利用して、インシュレータの上端部を収納するスペーサ部を前記ネジ部に固定することで、インシュレータ本体部は、前記スペーサ部に対して水平方向に拘束されるように構成したものである。
【００７０】
図３３(a)は本発明を適用する前段階のスピーカーの一例を示すもので、図３３(b)はコロが収納されたユニットの上面図、図３３(c)は側面図である。９２０はスピーカー本体部、９２１はコロ、９２２はこのコロを収納するユニット、９２３a、９２３b、９２３cはユニット９２２とスピーカー本体部９２０を締結するボルトである。
【００７１】
図６(a)はスペーサ部の上面図、図６(b)は本発明を適用したフローティング方式インシュレータ本体部の正面断面図、図６(c)は図６(a)のC-C断面図を示す。１００はインシュレータ本体部、１０１は上部スリーブ、１０２は下部スリーブ、１０３は上部スリーブ１０１の上端面に形成された凸部である。１０４はスペーサ部（支持部材）、１０５a、１０５b、１０５cはスペーサ部１０４とスピーカー本体部９２０を固定するボルト、１０６は前記インシュレータ本体部に形成された凸部１０３と着脱可能に形成された凹部（勘合部）、１０７a、１０７b、１０７cはボルト頭部の収納部である。図６(b)にインシュレータ本体部１００に装着された状態のスペーサ部１０４とボルト１０５a〜１０５cを想像線で示している。
【００７２】
図７は従来スピーカーのコロによる支持方法（図３３）を、本実施形態によるオーディオ用インシュレータに置き換えた図を示す。１００a〜１００d（１００dは図示せず）は、それぞれが図６のインシュレータ本体部１００に相当する。
【００７３】
本実施形態では、スペーサ部１０４に上部スリーブ１０１の凸部１０３を勘合する凹部１０６を形成した。この方法以外に、２段スペーサ構造にしてもよい。すなわち、スペーサ部１０４の下に第２スペーサを配置して、この第２スペーサと前記スペーサ部（１０４相当）をボルト等で締結する。さらに前記第２スペーサに上部スリーブ１０１の凸部（１０３相当）を勘合する凹部を形成する。この方法にすれば、上部スリーブ１０１の凸部の外径を十分に大きくとれるため、たとえば、本実施形態（図５）のインシュレータを用いた場合、スピーカーとインシュレータ間の高周波振動の伝搬をより効果的に図ることができる。ちなみに、凹凸を形成する部材は逆でもよく、前記上部スリーブに凹部、前記第２スペーサに凸部でもよい。またこの方法は、第７実施形態で後述するように、インシュレータとスピーカーを完全一体化構造にする場合にも適用できる（図示せず）。
【００７４】
[第３実施形態]
図８は、本発明の実施形態３に係るオーディオ用インシュレータを示すもので、実施形態１、２同様に、インシュレータに支持されたオーディオ機器に衝撃的な水平方向外力が加わったときに、インシュレータとオーディオ機器が容易には離脱できない構造を実現するものである。すなわち、本実施形態では、スピーカー底面から水平方向に枝のように伸びた支持体にスパイクが装着されている場合に、本発明インシュレータを適用する方法を示すものである。
【００７５】
図３４に本発明を適用する前段階のスピーカーの一例を示す。図３４(a)はスピーカー本体部の矢視図、図３４(b)はスパイク支持部の拡大図である。９３０はスピーカー本体部、９３１はスピーカー底面から水平方向に枝のように伸びた支持体、９３２はスパイク部である。スパイク部９３２は、スパイク頭部９３３、ねじ部９３４、円柱部９３５、円錐部９３６、ナット９３７から構成される。
【００７６】
図８において、１５０はインシュレータ本体部、１５１は上部スリーブ、１５２は下部スリーブ、１５３は上部スリーブ１５１の上端面に形成された凸部である。１５４はスペーサ部（支持部材）、１５５はスペーサ部１５４とスピーカーの支持体９３１を締結するボルト、１５６はこのボルトの頭部、１５７は前記インシュレータ本体部凸部１５３と着脱可能にスペーサ部１５４に形成された凹部（勘合部）、１５８はナットである。最初にボルト１５５とナット１５８で、ボルト１５５の下方向突出量を決めた後、スペーサ部１５４をボルト１５５のネジ部に締結すればよい。十分に長いボルト１５５を用いて、ナット１５８を２個使用すれば、スペーサ部１５４を任意の軸方向位置に固定できる（図示せず）。この方法により、スピーカーの４箇所（あるいは、３箇所）に設置される各インシュレータの高さを微調整できる。図９に本実施形態を適用したスピーカーの正面図を示す。
【００７７】
本実施形態では、スペーサ部１５４と上部スリーブ１５１は別部品で構成したが、部品１５４と部品１５１は一体化した構造でもよい。すなわち、上部スリーブにボルト１５５が締結されるネジ部が形成された構造でもよい（図示せず）。インシュレータ本体部にネジが直接締結できる構造は、その他の実施形態にも適用できる。この場合は、スペーサ部１５４と上部スリーブ１５１、及び、下部スリーブ１５２がインシュレータ本体部に相当するため、支持体９３１が支持部材、ボルト１５５が勘合部となる。
【００７８】
[第４実施形態]
図１０は、本発明の実施形態４に係るオーディオ用インシュレータを示すもので、前述した実施形態同様に、インシュレータに支持されたオーディオ機器に衝撃的な水平方向外力が加わったときに、インシュレータとオーディオ機器が容易には離脱できない構造を実現するものである。すなわち、本実施形態では、スピーカー支持方法にスパイク、コロなどを使用せず、たとえば、広い面積の平板形状部材で自重を支持するスピーカー構造に、本発明インシュレータを適用する方法を示すものである。
【００７９】
図３５に本発明を適用する前段階のスピーカーの一例を示す。９４０はスピーカー本体部、９４１はスピーカー底部に形成された平板部材である。
【００８０】
図１０において、２００はインシュレータ本体部、２０１は上部スリーブ、２０２は下部スリーブ、２０３は上部スリーブ２０１の上端面に形成された凸部である。２０４はスピーカーを矜持するための矜持部材、２０５はこの挟持部材の上面部、２０６は下面部、２０７はスペーサ部（支持部材）、２０８はこのスペーサ部と矜持部材の下面部２０６を固定するボルト、２０９はこのボルトの頭部、２１０は前記インシュレータの凸部２０３と着脱可能にスペーサ部２０７に形成された凹部（勘合部）である。２１１は締結ボルト、２１２はこの締結ボルトの頭部、２１２は締結ボルト２１１の下端部に形成された円柱部、２１３はこの円柱部２１２の下面に接合された弾性部材である。締結ボルト２１１により、矜持部材２０４とスピーカー底部の平板部材９４１の両者は、弾性部材２１３を介在して締結される。
【００８１】
図１１は、広い面積の平板部材９４１だけで自重を支持する前述したスピーカーに、挟持部材２０４を介在して、本実施形態によるオーディオ用インシュレータを装着した場合を示す図である。同図ではインシュレータ４個を前記平板部材の４隅に設置しているが、個数を３個に減らして前記平板部材の３隅に設置してもよい。
【００８２】
この実施形態では、広い面積の一枚の平板形状部材で自重を支持するスピーカー構造に、本発明インシュレータを適用する方法を示した。前記平板形状部材を上下で挟む挟持部材に支持部材を設ける本発明は、他の形態のスピーカーにも適用できる。たとえば、平板形状が一枚ではなくスピーカー底面に前後二枚、あるいは左右二枚設置されている場合にも適用できる。あるいはスピーカー底面から放射状に複数の平板が設置されている場合にも適用できる。これらの場合は、それぞれの平板を上下の部材で挟持する構成にして、下側の部材にインシュレータ本体部（図１１の２００に相当）を配置すればよい。平板部材の形状は長方形でなくともよく、楕円形状、台形、三角形などでもよい。また平板の厚みは均一でなくてもよく、位置によって厚みが異なる曲面形状でもよい。この場合は、上下の部材間に弾性変形するゴムなどを介在して、前記平板部材を挟持する構成にすればよい（図示せず）。
【００８３】
[第５実施形態]
図１２は、本発明の実施形態５に係るオーディオ用インシュレータをスピーカーに装着した状態を示す図である。前述した実施形態同様に、インシュレータに支持されたオーディオ機器に衝撃的な水平方向外力が加わったときに、インシュレータとオーディオ機器が容易には離脱できない構造を実現するものである。すなわち、本実施形態では、底部の構造がスカートを履いた形状で、薄い板厚の本体外周部のみで床面に設置するスピーカーに本発明インシュレータを適用する方法を示すものである。
【００８４】
図３６に本発明を適用する前段階のスピーカーの一例を示す。図３６(a)は図３６(b)のA-A断面図、図３６(b)は正面図である。９５０はスピーカー本体部、９５２はスピーカー底部９５１に形成された空洞部、９５３は本体外周部である。このタイプのスピーカーはヴィンテージ型（Vintage  Type）と呼ばれるもので、タンノイ（登録商標）、JBL（登録商標）などの古典的な銘機に多く用いられている。
【００８５】
このヴィンテージ型スピーカーに本発明を適用した本実施形態（図１２）において、図１２(a)は図１２(b)のA-A断面図、図１２(b)は正面図である。２５１(a)〜２５１(d)は、スピーカー底部９５１の４隅に設置された本実施形態のインシュレータである。図１３にインシュレータ２５１(c)近傍の部分拡大図、図１４に本実施形態のインシュレータを、スピーカーの４隅に装着した矢視図を示す。２５２は外周側支持部材、２５３は内周側支持部材、２５４a、２５４bはボルト頭部、２５５a、２５５bはこのボルトのネジ部、２５６a、２５６bはこのネジ部先端に設けられた円盤形状の締結部材である。内周側支持部材２５３には、ネジ部２５５a、２５５bと嵌合するメネジが形成されている。前記ボルトを締結することにより、外周側支持部材２５２はスピーカー壁面の外周面と密着して、本実施形態インシュレータは水平方向には移動できないようにスピーカーに固定される。２５７は底面部であり、この底面部にスペーサ部２５８（支持部材）が装着されている。このスペーサ部２５８にインシュレータ本体部の凸部を収納する凹部（勘合部）が形成されている（インシュレータ本体部の凸部、勘合部の凹部は図示せず）。
【００８６】
本実施形態インシュレータのスピーカーへの設置を容易にするため、前記ボルト（ネジ部とボルト頭部及び前記円盤形状の締結部材）を外周側支持部材に装着してもよい。この場合、内周側支持部材をスピーカー壁面の内面と密着させた状態で、外周側支持部材に設けられたボルトを締結することにより、内周側支持部材はスピーカー壁面の内周面と密着して、本実施形態インシュレータは水平方向には移動できないようにスピーカーに固定される（図示せず）。
【００８７】
図３６に一例を示すヴィンテージ型スピーカーの場合、その特異な構造ゆえに、スピーカー底面にはインシュレータの設置は困難であった。しかし、スピーカー底部の薄板を挟持する部材を支持部材とする本実施形態の構造を適用すれば、支持部材の底面部２５７にいかなる形態のインシュレータも装着できる。非常時の設置安定性にこだわらない限り、水平方向と垂直方向を規制する勘合部を設けなくても、あらゆるインシュレータは装着可能となる。
【００８８】
[第６実施形態]
図１５は、本発明の実施形態６に係るオーディオ用インシュレータを示すもので、前述した実施形態同様に、インシュレータに支持されたオーディオ機器に衝撃的な水平方向外力が加わったときに、インシュレータとオーディオ機器が容易には離脱できない構造を実現するものである。すなわち、本実施形態では、底部が平胆形状の一般的なスピーカーに、本発明インシュレータを適用することで設置安定性を向上させる方法を示すものである。
【００８９】
図１５(a)は図１５(b)のスピーカー本体を除くA-A断面図、図１５(b)は正面図である。４５１(a)〜４５１(d)は、スピーカー底部の４隅に設置された本実施形態インシュレータである。４５２はスピーカー本体部、４５３a、４５３dはスピーカー本体４５２のリアー側に設置されたＬ型支持部材、４５３b、４５３cはスピーカー本体４５２のフロント側に設置されたＬ型支持部材である。以下、フロント側に設置された各部材を例に上げて説明する。４５４は伸縮自在パイプ、４５５はこの伸縮自在パイプの外側筒部でＬ型支持部材４５３bに回転自在に固定される。４５６は前記伸縮自在パイプの内側部でＬ型支持部材４５３cに回転自在に固定される。４５７はスピーカーを挟持した状態で、前記伸縮自在パイプの伸縮を固定する固定部である。本実施形態を適用するスピーカーの幅の大きさに合せて、前記伸縮自在パイプの伸縮幅Ｌを調節する。各Ｌ型支持部材（たとえば４５３c）とスピーカー４５２の間には、ゴムなどで構成されたスピーカーの表面を保護する緩衝材（たとえば４５８c）が設けられている。
【００９０】
スピーカーの側面が曲面形状の場合は、L型支持部材もこの曲面に合せた形状にすれば良い。実施形態では、左右のＬ型支持部材を締結するのに伸縮自在パイプを用いた例を示した。分離した複数の部材の締結は、スピーカーの形態に合せて、他のどの様な手段でも適用可能である。またリスナー側から見て、スピーカーの左右の面を挟持するのではなく、スピーカーの前後、あるいは対角方向に各部材を配置して、部材間を挟持する構成でもよい（図示せず）。
【００９１】
[第７実施形態] 
図１６、及び、図１７は、本発明の実施形態７に係るオーディオ用インシュレータを示すもので、図１６(a)はインシュレータ本体部の上面図、図１６(b)は正面断面図である。図１７(a)は前記インシュレータ本体部と勘合するスペーサ本体の上面図、図１７(b)は正面断面図である。本実施形態は、たとえば、地震波による水平方向、垂直方向の両方に大きな加速度が加わることで、スピーカー本体の一部、あるいは全体が床面から浮上した場合でも、インシュレータとスピーカーは離脱しない完全一体化構造にしたものである。本実施形態に示す方法により、前述した水平方向だけの加速度を考慮した実施形態と比べて、スピーカーの設置安定性を一層向上させることができる。
【００９２】
図１６(a)、図１６(b)において、４０１はインシュレータ本体部、４０２は上部スリーブ、４０３は下部スリーブ、４０４は上部スリーブ４０２の上端面中央に形成された凸部である。４０５aと４０５bは、前記凸部側面の前記外周部上端面側に形成された溝部で、それぞれ左右対称に形成されている。また、４０６a、４０６bは溝部を形成しない開口部である。
【００９３】
図１７(a)、図１７(b)において、４０７はスペーサ部（勘合部）、４０８は前記インシュレータ本体部に形成された凸部と着脱可能に形成された凹部、４０９はボルト、４１０はボルトの頭部、４１１はネジ部である。４１２はボルト頭部４１０の収納部である。４１３a、４１３bは、凹部４０８の下端面において、左右対称に形成された突出部、４１４は上部スリーブ４０２の上端面外周部、４１５は凸部上端面である。
【００９４】
図１８は、スピーカーに固定したスペーサ部にインシュレータ本体部を装着する手順を示す図である。図１８(a)は、スピーカー本体９００の底面にスペーサ部４０７がボルト４０９により装着されている状態を示している。図１８(b)に示すように、スペーサ部４０７にインシュレータ本体部４０１を軸方向に挿入し、挿入後９０度回転させることで、インシュレータ本体部４０１はスペーサ部４０７に対して離脱不可の状態で勘合される。
この状態で、前記インシュレータ本体部は前記勘合部に対して水平方向及び、垂直方向の移動が拘束されて設置される。このとき、開口部４０６a、４０６b（図１６（a）の凸部４０４の溝部を形成しない箇所）が、突出部４１３a、４１３bに対して、一致した角度となるように位置決めして、インシュレータ本体部４０１をスペーサ部４０７に挿入する。図１８(c)に、スペーサ部４０７にインシュレータ本体部４０１が装着完了した状態を示す。
【００９５】
図１８(d)は図１８(c)のDD拡大図である。凸部４０４を含む上部スリーブ４０２とスペーサ部４０７の接触状態は、実施形態１で用いたインシュレータ（図５）を適用したとき、音響特性に多大な影響を与える。図１８(d)に示すように、本実施形態では前記上部スリーブの上端面外周部４１４とスペーサ部４０７の間にΔH1の軸方向隙間、前記凸部の上端面４１５とスペーサ部４０７の間にΔH2の半径方向隙間を持たせている。ΔH1の軸方向隙間を与えることで、前記上部スリーブの上端面外周部４１４は前記スペーサ部を装着することによる拘束から解放されて自由端となる。すなわち、上部スリーブ４０２が有する多くの共振モードは、スペーサ部４０７を勘合させることによる影響は受けないため前述した風鈴効果を損なわない。またΔH2の半径方向隙間を持たせることで、前記凸部の上端面４１５とスペーサ部４０７は広い軸方向面積で完全密着する。そのため、上部スリーブ４０２（風鈴部材）の振動は着実にスピーカー側に伝搬して、十分な風鈴効果を得ることができる。
【００９６】
図１９a、図１９bに示すように、インシュレータ本体部４０１をスペーサ部４０７に「開」「閉」のマーキングを施せば、両部材４０１、４０７が離脱防止状態になっていることを容易に確認できる。
【００９７】
[第８実施形態] 
図２０は本発明の実施形態８に係るオーディオ用インシュレータを示すもので、第７実施形態同様に、インシュレータとスピーカーが離脱しない一体化構造にしたものである。５５１はインシュレータ本体部、５５２は上部スリーブ、５５３は下部スリーブ、５５４は上部スリーブ５５２の上端面中央に形成された凸部、５５５はこの凸部側面の円周上に形成された溝部、５５６はスペーサ部（勘合部材）、５５７はボルトの頭部、５５８はボルトのネジ部、５５９はスピーカー本体部である。５６０は上部スリーブ５５２とスペーサ部間の離脱を防止するための離脱防止ボルトである。この離脱防止ボルトを完全に締結することにより、離脱防ボルト５６０の先端は溝部５５５に収納されるため、インシュレータ本体部５５１とスピーカー５５９間の離脱を防止することができる。離脱防ボルトによる本実施形態の方法と、実施形態７による方法を組み合わせれば、より高い信頼性で、インシュレータ本体部とスピーカー間の離脱防止を図ることができる。
【００９８】
上記実施形態で示したように、インシュレータ本体部が勘合部に対して、水平方向と垂直方向の移動が拘束されて設置できる構造を用いれば、インシュレータ本体部に対して、吊り下げた状態のスピーカー（勘合部付き）を着脱可能に設置できる。この場合は、インシュレータ本体部の底面（たとえば、図１６(b)の下部スリーブ４０３の底面）を固定側に締結すればよい（図示せず）。
【００９９】
[外乱荷重によってスピーカーが障害物のある床面上を移動する場合]
以下、床面にインシュレータを介在して設置したスピーカーの重心Gに、強力な衝撃的水平方向外乱荷重FY加わるときのスピーカーの動的挙動について、次の２ケースについて考察する。この場合、スピーカー本体が床面上を移動し、かつその移動経路に障害物があると仮定する。
（１）インシュレータはスピーカーに対して水平方向には離脱できないように拘束されているが、垂直方向（軸方向）には拘束されていない。
（２）インシュレータはスピーカーに対して水平方向・垂直方向共に離脱できないように拘束されている。
【０１００】
まず上記（１）の場合について説明する。図２１において、５００はスピーカー、５０１a〜５０１dはこのスピーカーと床面５０２間に設置されたインシュレータ（５０１c、５０２dは図示せず）、５０３は障害物である。この場合、スピーカー５００と前記インシュレータは、障害物が存在しない一定区間までは一体で移動する。したがって、インシュレータ上面をスピーカーが移動する場合（「背景技術」の説明図３１）と比べて、転倒防止の点ではるかに有利となる。しかし、スピーカー５００が障害物５０３に衝突すると、スピーカー５００は前屈みに傾斜する。その結果、図２１（ｂ）のＡＡに示すように、外乱荷重FYの大きさ次第では、インシュレータとスピーカー５００は離脱し、次の段階で図２１(c)のごとく、スピーカー５００は転倒する可能性がある。
【０１０１】
次に上記（2）の場合について、説明する。
図２２において、５０５はスピーカー、５０６a〜５０６dはこのスピーカーと床面５０７間に設置されたインシュレータ（５０６c、５０６dは図示せず）、５０８は障害物である。この場合、スピーカー５０５と前記インシュレータは、障害物が存在しない一定区間までは一体で移動する。スピーカー５０５が障害物５０８に衝突すると、スピーカー５０５は前屈みに傾斜する。しかし、図２２（ｂ）のBBに示すように、スピーカーが大きく傾斜しても、インシュレータとスピーカー５００は離脱せず、次の段階で図２１(c)のように、スピーカー５０５は静止状態に復元する。
【０１０２】
スピーカーに加わる極めて大きな地震波を想定する。この場合、スピーカーに水平方向加速度αHと共に、垂直方向の加速度αVが加わる。この加速度αVの大きさ次第では、スピーカーは垂直方向荷重によって床面から浮上する。この条件に上記（１）（２）の条件を重ね合わせた場合を考察すると、第７、第８実施形態で一例を示した「インシュレータとスピーカーが離脱しない完全一体化構造」は、設置安定性の点で極めて有利であることが分かる。
【０１０３】
前述した実施形態１〜６において、インシュレータ本体部は支持部材に形成された勘合部に対して、半径方向のみに離脱できない構造を示した。実施形態１〜６場合でも、実施形態７、あるいは８で示したように、「インシュレータとスピーカーが離脱しない完全一体化構造」を適用することは容易である。たとえば、実施形態１を例にとれば、
（ｉ）スペーサ部１８の凹部１９の内面形状（図１a）を、実施形態７の凹部４０８の内面形状（図１７b）に変える。
（ｉｉ）上部スリーブ１１の凸部１３の形状（図１b）を、実施形態７の凸部４０４の形状（図１６b）に変える。
上記（ｉ）（ｉｉ）を施せばよい。
【０１０４】
[第９実施形態]
図２３は本発明の実施形態９に係るオーディオ用インシュレータ、及びオーディオ装置を示すもので、スピーカーの底面に設けられた、たとえばスパイク装着用のネジ部を利用して平板を締結し、スピーカー底面から離れた前記平板の底面でインシュレータを設置することにより、一層の設置安定性の向上を図ったものである。
【０１０５】
５１０はスピーカー、５１１はこのスピーカー底面に装着された外付け平板（ボード）、５１２a〜５１２dは外付け平板５１１の下で４箇所に勘合された状態で配置されたインシュレータ（５１２c、５１２dは図示せず）である。５１３a〜５１３dは前記平板とスピーカー５１０を締結するためのボルト（想像線で記載、５１３c、５１３dは図示せず）である。前記外付け平板とスピーカー５１０を前記ボルトに締結するために、スパイク装着用のネジ部を利用している。スパイクでスピーカーを支持する場合の２つの支持点の間隔L1に対して、前記外付け平板を設けてインシュレータで支持する場合は２つの支持点の間隔はL2である。L2＞L1のため、前記スピーカーを転倒させる衝撃的なモーメント荷重が加わった場合、設置安定性を向上できる。特にトールボーイ型と呼ばれる背の高いスピーカーの設置安定性向上を図る手段として、本実施形態の方法は有効である。
【０１０６】
本実施形態では、前記外付け平板とスピーカー５１０を締結するために、スパイク装着用のネジ部を利用したが、スパイク以外の、たとえば、コロなどを支持方法としているスピーカーの場合は、そのコロの締結部を利用してもよい。
前記インシュレータ間の支持スパンを拡大するために、本実施形態では平板を用いたが、支持スパンを拡大する構造は平板に限定されない。たとえば、スピーカー底面の対角線上にある２点の支持部を１つの長方形の板材Aで固定する。さらに前記板材Aに交差するように、残りの２点の支持部を別の長方形の板材Bで固定するような構造でもよい（図示せず）。
【０１０７】
さらに、本実施形態では、前記外付け平板に対して前記インシュレータが離脱した場合でも、スピーカーの設置安定性を図るための傾斜・転倒防止手段を前記外付け平板に設置している。５１４a〜５１４dは外付け平板５１１に設けられた傾斜規制手段（５１４c、５１４dは図示せず）である。図２４は、インシュレータ５１２b近傍の部分拡大図である。５１５は傾斜規制手段５１４bのボルト頭部、５１６はねじ部、５１７はナットである。スピーカーの通常の使用時において、ボルト先端部５１８と床面５１９間は、僅かなギャップΔHを保つように、ねじ部５１６に対するナット５１７の位置を調整する。インシュレータにフローティング方式を用いた場合、スピーカーの重心位置によって各インシュレータの軸方向変形量が異なる。この場合、各傾斜規制手段の先端と床面間のギャップΔHが一定となるように調節すればよい。但し、前記平板と前記インシュレータを水平・垂直方向に離脱しない完全一体化構造にすれば、前記傾斜規制手段は省略してもよい。
【０１０８】
あるいは、前記傾斜規制手段を装着すれば、前述した実施形態のようなスピーカー側に設けた支持部材とインシュレータ間を離脱できないように勘合する手段は省略してもよい。すなわち、平板５１１の下に各インンシュレータを、水平方向・垂直方向に規制することなく、配置するだけでよい。
【０１０９】
本実施形態で示した傾斜規制手段の適用は、スピーカーの形態に限定されない。
たとえば、実施形態１で示したスパイク支持型のスピーカーの場合、傾斜規制手段をスパイクのねじ部を利用して設置し、この傾斜規制手段の近傍にインシュレータを配置してもよい（図示せず）。あるいは、スピーカーの底面に通常設けられる各足部の中間部にも足部を設けて、総計８個のねじ溝付きの足部を設ける。このうち、４隅のねじ部はインシュレータ用に用いて、残りの４個は傾斜規制手段用とする構造でもよい。スピーカー本体は３点でも安定設置できるため、３個のねじ部はインシュレータ用に用いて、残りの３個は傾斜規制手段用とする構造でもよい（図示せず）。
あるいは、傾斜規制手段の軸がインシュレータ中心部を貫通するような構造でもよい（図示せず）。
【０１１０】
[第１０実施形態]
図２５は本発明の実施形態１０に係るオーディオ用インシュレータ、及びオーディオ装置を示すものである。スパイクを収納する貫通穴が形成された外付け平板を前記スピーカーの底部に装着し、かつスピーカー底面から離れた前記外付け平板の底面でインシュレータを設置することにより、設置安定性の向上を簡便に図る方法を示すものである。図２５(a)は前記外付け平板の上にスピーカーが搭載された状態を示す正面図、図２５(b)は前記平板の上面図である。
【０１１１】
３５０はスピーカー、３５１はこのスピーカー底面に装着された外付け平板（ボード）、３５２a〜３５２dは外付け平板３５１の下で４箇所に勘合された状態で配置されたインシュレータ、３５３a〜３５３dはスピーカー３５０の底面に締結されているスパイク、３５４a〜３５４dは貫通穴である。本実施形態の場合も、第９実施形態同様に、スパイク支持における２つの支持点の間隔L1に対して、前記インシュレータで支持する場合の間隔をL2として、L2＞L1とすれば、設置安定性を向上できる。また、前記スパイクは前記スピーカーから離脱しなくてもよい。また、間隔L2を大きく設定すれば、平板３５１とスピーカー３５０を締結しなくても実用的には十分な設置安定性が得られた。本実施形態では、図２５(b)に示すように、前記貫通穴の開口部形状を横長にすることで、スパイク支持間隔L1が異なる様々なスピーカー（オーディオ機器）に対して、外付け平板３５１を共有化して利用できる。
前記貫通穴の開口部形状を横長にする代わりに、商品としてシリーズ化された各種スピーカーに対応するために、複数個の貫通穴を形成してもよい（図示せず）。
【０１１２】
実施形態では、オーディオ機器支持部材であるスパイクで支持されたスピーカーに適用した場合を示した。第２実施形態で示したような、たとえば、コロ（球体）などで支持されたスピーカーでも本発明を適用できる（図示せず）。また、本実施形態においても、第９実施形態同様に、傾斜規制手段（図２４の５１４ｂに相当）を装着すれば、一層の設置安定性を図ることができる。具体的には、傾斜規制手段である複数のボルトを平板３５１に装着し、ボルト先端部と床面間が僅かなギャップΔHを保つように、ねじ部に対するナットの位置を調整すればよい（図示せず）。
この場合は、第９実施形態同様に、スピーカー側に設けた支持部材とインシュレータ間を離脱できないように勘合する手段は省略してもよい。
【０１１３】
また、第９実施形態、第１０実施形態に例を示したように、スピーカー底面に設けられた外付け平板の面積を十分に大きくできる場合、あるいは、底部が平胆形状で床面との設置面積が十分に大きな一般的スピーカーの場合は、トールボーイ型と呼ばれる背の高いスピーカーと比較すると転倒の危険性は低い。この場合は、インシュレータの上端面（たとえば、図５の凸部５７の端面）にサンドブラスト加工を施せば、オーディオ機器底面とインシュレータ間の相対的な滑りを抑制できる。周知のように、サンドブラストとは、研磨材をコンプレッサーの圧縮空気に混ぜて、加工面に吹き付けることにより表面を加工する方法である。研磨材の粒子の粗さ（粒子径）、粒子の硬さ、コンプレッサー圧力などを適切な値に設定することにより、加工面を滑りにくい表面状態（摩擦係数を上げる）に仕上げることができる。サンドブラスト加工により、ゴムシートのように高周波振動を減衰させることなく、摩擦係数を増加できる（図示せず）。
【０１１４】
[第１１実施形態]
図２６は、本発明の実施形態１１に係るフローティング方式のオーディオ用インシュレータを示すものである。前述した実施形態７同様に、水平・垂直方向共にオーディオ機器とインシュレータは離脱不可の完全一体化構造に加えて、インシュレータ本体の高さの上限値と下限値を設定可能にしたものである。
図２６(a)はインシュレータの高さが上限値Hmaxの状態を示す正面断面図、図２６(ｂ)は下限値Hminの状態を示す正面断面図である。
【０１１５】
８５１は上部スリーブ（風鈴部材）、８５２は下部スリーブ、８５３は下部スリーブ８５２の中央部に設置されたサージング防止部材（振動発生防止手段）である。上部スリーブ８５１は下部スリーブ８５２上部に配置され、両スリーブ８５１、８５２の内部に弾性部材であるスプリングコイル８５４が設けられている。８５５、８５６はスプリングコイル８５４を装着した状態で、両スリーブ８５１，８５２の軸芯が一致した状態を保つための両スリーブに形成された位置決め部である。８５７は上部スリーブ８５１の上端面に形成された凸部であり、スペーサ部８５９に形成された凹部８６０と勘合される。このスペーサ部８５９はスピーカー９００の底面にボルト８５８で装着される。インシュレータ側の凸部８５７とスペーサ部８５９は、実施形態７で一例を示した様に、オーディオ機器の通常の使用時において、水平・垂直方向共に離脱不可となるように装着される。
【０１１６】
８６１は上部スリーブ８５１と下部スリーブ８５２の離脱を防止するための締結ボルト、８６２はこの締結ボルトの頭部を収納する下部スリーブ８５２に形成された筒部である。８６３は締結ボルト８６１に装着されたナットであり、このナットの軸方向位置の調節により、鎖線AAで示すように、インシュレータ本体高さの上限値Hmaxを設定できる。８６４は下部スリーブ８５２の側面に形成されたねじ部であり、このねじ部に装着されたダブル・ナット８６５の軸方向位置の調節により、鎖線BBで示すように、インシュレータ本体高さの下限値Hminを設定できる。インシュレータ本体高さの上限値Hmaxと下限値Hminは、以下述べるように設定すればよい。インシュレータ複数個（３個あるいは４個）の上にオーディオ機器を搭載し、平衡状態におけるインシュレータ本体高さをHeqとする。前記Hmaxと前記Heqとの差、及び、前記Hminと前記Heqとの差が所定の範囲になるように、前記上限値Hmaxと前記下限値Hminを微調節する。この微調整の精度が高い程、上限値HmaxとHeqとの差、及び、Heqと下限値Hminとの差は僅少にできる。すなわち本実施形態では、オーディオ機器に加わる水平・垂直方向加振力による転倒防止対策に加えて、軸方向変形量の無い硬質インシュレータと同様な取り扱いができるフローティング方式インシュレータが実現できる。ΔH1=Hmax-Heq、ΔH2= Heq-Hminとして、ΔH1<5mm及びΔH2<5mmに設定すれば、実用上十分であった。さらにΔH1<2.5mm及びΔH2<2.5mmに設定すれば、完璧ともいえる安定性が確保できた。
【０１１７】
[第１２実施形態]
図２７は本発明の実施形態１２に係るオーディオ用インシュレータ、及びオーディオ装置を示すもので、本発明インシュレータに搭載されたオーディオ機器を、床面よりも高所に配置された箇所で安定に設置するための実施形態を示すものである。本実施形態では、スピーカー・スタンド上にスピーカーを設置する場合を例に上げて示している。後述するように、一般の棚にオーディオ機器を搭載する場合のインシュレータ構造とその効用も同様である。
【０１１８】
スピーカー・スタンドは、通常小型スピーカーをリスナーが適切なリスニング・ポジションで聴くために用いられる。図２７(a)は図２７(b)のD-D矢視図、図２７(b)は正面図、図２７(c)は図２７(b)のBB部拡大図である。６７５はスピーカー・スタンドの底板、６７６a〜６７６dは支持部、６７７は支柱、６７８は天板である。前記底板、前記支持部、前記天板で、広く用いられている一般のスピーカー・スタンドを構成している。
【０１１９】
６７９a〜６７９dは前記天板６７８の４隅で、この天板を上下から挟持して前記天板に固定されるスタンド用挟持部材である。このスタンド用挟持部材のそれぞれに本発明のオーディオ用インシュレータ６８０a〜６８０dが装着される。このオーディオ用インシュレータの上にスピーカー６８１が搭載される。
【０１２０】
BB部拡大図２７(c)において、６８２は前記スタンド用挟持部材の上面部、６８３は下面部、６８４は締結ボルト、６８５はこの締結ボルトの頭部、６８６はこの締結ボルトの上端部に形成された円柱部、６８７はこの円柱部の上面に接合された弾性部材である。締結ボルト６８４により、スタンド用挟持部材６７９bとスピーカー・スタンドの天板６７８の両者は、弾性部材６８７を介在して締結される。６８８はスタンド用挟持部材の上面部６８２に形成されたインシュレータ収納部である。
【０１２１】
本実施形態では、第１実施形態の適用例に近い構造のオーディオ用インシュレータ（図５）を用いており、インシュレータ本体部６８９とスペーサ部６９０から構成される。インシュレータ本体部６８９は、上部スリーブ６９１、下部スリーブ６９２、スプリングコイル６９３、前記上部スリーブと前記下部スリーブの離脱を防止する締結ボルト６９４から概略構成される。この締結ボルトの頭部を収納する下部スリーブ６９２に形成された筒部６９５を利用してメネジを形成し、装着ボルト６９６により、インシュレータ本体部６８９とスタンド用挟持部材６７９bを固定している。６９７は上部スリーブ６９１の上端面に形成された凸部、６９８はスペーサ部６９０に形成された凹部、６９９はスペーサ部６９０とスピーカー６８１の底面を締結するボルトである。前記凸部と前記凹部は、他の本発明実施例同様に、両部材の水平方向の離脱防止が図れるように、あるいは、水平方向と垂直方向共に離脱防止が図れるように勘合される。
【０１２２】
本実施形態では、前記インシュレータ４個を前記スピーカー・スタンドの前記天板の４隅に設置しているが、個数を３個に減らして前記天板の３隅に設置してもよい。この場合は、前記スタンド用挟持部材は3個でよい。
【０１２３】
搭載するスピーカーが小型で、またスピーカー・スタンドの天板各辺の寸法が小さければ、スタンド用挟持部材を総計2個にして、各挟持部材に２つの前記インシュレータ本体部を搭載してもよい。
【０１２４】
本実施形態では、概略長方形である前記天板の２つの辺を挟むように、前記スタンド用挟持部材を装着した。この方法以外では、天板の４つの角を挟むように、スタンド用挟持部材を装着してもよい。
【０１２５】
あるいは、天板と同程度の大きさのインシュレータ設置ボードを天板の上面に配置する。前記天板の下面に設けた部材と前記インシュレータ設置ボードにより、前記天板を挟む構成でもよい。
【０１２６】
インシュレータ収納部６８８を十分に深く形成すれば、インシュレータ本体部６８９を前記インシュレータ収納部の底面に固定することなく配置するだけで、前記インシュレータ本体部の水平方向の移動を規制することができる。スピーカー・スタンドを傾斜させる危険性が小さければ、装着ボルト６９６による両部材の締結を省略してもよい。インシュレータ収納部６８８の形状は、前記インシュレータ本体部の下部寸法よりも十分に余裕を持たせた大きさにすればよく、たとえば楕円形状でもよい。あるいは、商品としてシリーズ化された各種スピーカーに対応するために、複数個設けてもよい。
【０１２７】
またスピーカー・スタンドが傾斜する危険性が小さいという前提で、上部スリーブ６９１の上面を十分に滑りにくい状態（たとえば、サンドブラスト加工処理）にすれば、インシュレータ本体部６８９とスピーカー６８１の水平方向・垂直方向の離脱を防止する前述した手段（たとえば、インシュレータ本体部とスペーサ部を勘合させる手段）を省略してもよい。
【０１２８】
本実施形態では、スピーカー・スタンドにスピーカーを搭載される場合について示したが、スピーカー以外のオーディオ機器であるＣＤプレイヤー、アンプ、アナログプレイヤーなどを搭載する場合にも適用できる。
【０１２９】
スタンド用挟持部材を用いて、インシュレータで支持されたオーディオ機器を安定に設置するための上述した構造とその効用は、スピーカー・スタンドに限定されない。たとえば、適切なリスニング・ポジションで聴くために、高所に置かれた棚の上にスピーカーを設置する場合、棚板の上下を挟むように前記スタンド用挟持部材（この場合は、棚用挟持部材）を装着すれば、インシュレータで支持されたスピーカーの転倒・転落を防止できる。この場合、図２７(c)の天板６７８が前記棚板に相当する。
【０１３０】
この場合、前記棚用挟持部材はインシュレータ本体部が棚の奥行き方向に複数箇所に設置できる構成にすればよい。棚用挟持部材の棚の奥行き方向長さを十分に長くすれば、奥行きの狭い棚の場合でもオーディオ機器を安定して設置できる。
【０１３１】
棚の種類は、本棚、書棚、雑貨用具を入れるラック、システムボックスなど、どのような形態でも適用可能である。たとえば、オーディオ専門店の商品陳列棚に、前記棚用挟持部材を適用して、多くのスピーカーを安定して配置することができる。要するに、挟持部材を上下で挟持できる箇所（適度な厚みの棚板）を有する筐体構造ならば、本発明の適用が可能である（以上、図示せず）。
【０１３２】
[補足]
第４〜第６実施形態では、オーディオ機器を挟む挟持部材と、インシュレータ本体部を勘合させるための支持部材は別部品（たとえば、図１０の部材２０４と２０７）で構成した。しかし、支持部材と挟持部材は一体化した構造でもよい。すなわち、挟持部材にインシュレータ本体部を勘合させる勘合部が形成されていてもよい。この場合は挟持部材と支持部材の締結手段（たとえば、図１０のボルト２０８）は省略できる。すなわち、挟持部材を含むインシュレータの総部品数を削減できる。
外付け平板を利用した第９、第１０実施形態の場合も同様である。すなわち、外付け平板（たとえば、図２３の部材５１１）にインシュレータ本体部を勘合させる勘合部を形成すればよい。
【０１３３】
各実施形態では、本発明のインシュレータをスピーカーに適用する場合を示したが、オーディオ機器であるCDプレイヤー、アナログプレイヤー、プリアンプ、パワーアンプ、ＰＣオーディオ用のパソコン、あるいは、これらのオーディオ用コンポーネンツを収納するオーディオラック（棚）、あるいは様々な楽器（たとえば、アコースティック楽器）、ピアノなど楽器のいずれにでも適用できる。
【０１３４】
各実施形態では、弾性部材として外径が軸方向で均一なスプリングコイルを用いた。スプリングコイル以外には、前述したように、マグネットの反発力を利用したもの、ワイヤとＵ字状ばね（たとえば、図２８）によるもの、エアー式などのフローティング方式のインシュレータも適用できる。具体的には、たとえば、図５bのスプリングコイル５４、サージング防止部材５３などを上述したフローティング方式を構成する部材に置き換えればよい。
【０１３５】
スプリングコイルを適用する場合は、各実施形態の上記形状に限定されるものではない。たとえば、円錐コイルばね、皿バネ、あるいはこの皿ばねを多段に積み重ねた構造、竹の子ばね、輪ばね、渦巻きばね、薄板ばね、重ね板ばね、Ｕ字型ばねなど、オーディオ用インシュレータとして要求される形状、寸法などを考慮して選択すればよい。各実施形態のインシュレータは、上部スリーブが下部スリーブを包み込むような構成であった。この構成ではなく、逆に下部スリーブが上部スリーブを包み込むような構成でもよい。あるいは、スリーブ形状ではなく、弾性部材の端部を保持する、たとえば概略円板形状の部材を上部スリーブの代わりに用いてもよい。
【０１３６】
硬質インシュレータの場合でも、各種オーディオ機器の形態に合せて、本発明の各実施形態で説明した水平・垂直方向の離脱防止効果は適用できる。一例を上げれば、実施形態３におけるインシュレータ（図８の上部スリーブ１５１と下部スリーブで構成）を、硬質インシュレータに置き換えればよい。たとえば、第１２実施形態におけるスピーカー・スタンド、あるいは高所に置かれたオーディオ機器に本発明を適用する場合も同様である。
【０１３７】
たとえば、第１実施形態では、スパイク付きスピーカーのスパイクを取り外し、本発明インシュレータに置き換える場合を示すものであった。他の実施形態でも同様であるが、スピーカーの基本構成の段階で、本発明インシュレータが最初から組み込まれた構造でもよい。たとえば、フローティング方式インシュレータを装着するという前提で、スピーカーの基本設計がなされるならば、本発明はさらに簡素化された形で適用が可能である。たとえば、第４実施形態（図１０）を例にとれば、平板部材９４１の底面にボルト２１１を締結するメネジが予め設けられていれば、挟持部材２０４は不要であり、インシュレータの支持構造はおおいに簡素化される。たとえば、第９実施形態（図２３）を例にとれば、平板５１１と傾斜規制手段５１４a〜５１４dは最初からスピーカーの基本構造の一部として、最も適切な箇所に設けられていてもよい。あるいは、硬質材料式（たとえば、スパイク式）とフローティング方式のいずかをリスナーが選択できるように、スピーカー（オーディオ機器）の基本設計がなされていてもよい。
【０１３８】
水平方向、垂直方向の外力によって、インシュレータをスピーカー本体から離脱させない本発明の構造は、インシュレータの形式を問わず、たとえば背の高い硬質材料インシュレータにも適用できる。背の高いインシュレータを、たとえばスピーカーに装着したとき、図２１、図２２、図３０に示すように、水平方向・垂直方向外力によって、転倒の可能性が生じる。したがって、フローティング式に限らず、本実施形態で示した設置安定化の手段は様々な形式のインシュレータに有効である。
【０１３９】
オーディオ機器とインシュレータを勘合する手段に、実施形態では凹凸の組み合わせを示したが、勘合手段はこの方法に限定されない。たとえば、対抗面が平胆な２つの部材の中央部に貫通穴を形成し、２つの部材が離脱できないようにボルトとナットを前記貫通穴に設ける構造でもよい。あるいは、インシュレータとオーディオ機器を直接ボルトで締結してもよく、ネジ部はたとえばスパイクの締結部を利用してもよい（図示せず）。
【０１４０】
第１実施形態に適用したインシュレータ（図５）、第１１実施形態に適用したインシュレータ（図２６）を本発明に適用する場合、スピーカーの設置面側に設けられる支持部材（たとえば、図１０の２０４、図１５の４５３、図２３の５１１など）に真鋳などの金属材料を用いれば、風鈴部材である上部スリーブ（図５の５１）の共振現象を効率的にスピーカー側に伝搬できる。その結果、より一層の音像の定位感、分解能、透明感、スケール感などの音響効果を得ることができる。さらにスピーカーの底面に水平平板を設け、スピーカーの前面に位置する箇所に垂直パネルを設ける。この水平平板と垂直パネルの組み合わせにより、たとえばＬ字型の部材を構成して、前記水平平板の下に前記インシュレータ（たとえば、図５）を配置する。前記インシュレータは、前述した実施形態のように前記水平平板に勘合する構成でもよい。あるいは、水平平板の下に水平方向、垂直方向に規制することなく配置するだけでもよい。水平平板と垂直パネルは風鈴（部スリーブ）の音響振動を伝搬すると共に、高周波音の発生源にもなる。垂直パネルのスピーカーのコーンに位置する箇所は、コーンからの音の出力を妨げないように穴をくり抜けばよい。この構成により、風鈴効果をさらに飛躍的に向上することができる。木製で作られることが多い一般のスピーカーではなく、スピーカー本体が金属で作られた金属スピーカー、あるいは、たとえばスピーカーのフロントパネルが金属と木材の合板で作られたスピーカーを用いても同様な効果が得られる（図示せず）。
【０１４１】
実施形態では、オーディオ機器に対してインシュレータ本体が半径方向、垂直方向に離脱できない構造を示した。スピーカーをスピーカー・スタンド上で安定に設置するための第１２実施形態で一例を示したように、設置面側（床面側）に対して前記インシュレータ本体が容易には離脱できない構造にすれば、一層の設置安定性を向上させることができる。そのために、たとえばスピーカー本体の面積よりも十分に大きく、かつ重い平板（ボード）をスピーカーの下の床面に設置して、この平板と前記インシュレータの底面を固定する構造でもよい。たとえば、前記平板の底面（床面側）からボルトで前記インシュレータを固定してもよい。たとえば、図５のインシュレータの場合、下部スリーブ５２の筒部５９に前記ボルトと締結するネジ部を、図２７(c)の実施形態のように、形成してもよい。あるいは、インシュレータ（たとえば、下部スリーブ５２）の外周部を固定する治具をこのインシュレータに締結し、この治具と前記平板の上面を固定する構造でもよい。平板の形状は長方形でなくてもよく、スピーカー底面から放射状に伸びた枝のような形状でもよい。スピーカーに加わるモーメント荷重に対して、転倒を防止するための十分な支持スパンが設けられる形状であればよい。あるいは、平板を用いるのではなく、床面に直接インシュレータを固定する締結部材を打ち込む構造でもよい（図示せず）。
【符号の説明】
【０１４２】
１０・・・インシュレータ本体部
１８・・・支持部材
１９・・・勘合部
９００・・・オーディオ装置
【図１】
2014128000.tif 000003
【図２】
2014128000.tif 000004
【図３】
2014128000.tif 000005
【図４】
2014128000.tif 000006
【図５】
2014128000.tif 000007
【図６】
2014128000.tif 000008
【図７】
2014128000.tif 000009
【図８】
2014128000.tif 000010
【図９】
2014128000.tif 000011
【図１０】
2014128000.tif 000012
【図１１】
2014128000.tif 000013
【図１２】
2014128000.tif 000014
【図１３】
2014128000.tif 000015
【図１４】
2014128000.tif 000016
【図１５】
2014128000.tif 000017
【図１６】
2014128000.tif 000018
【図１７】
2014128000.tif 000019
【図１８】
2014128000.tif 000020
【図１９】
2014128000.tif 000021
【図２０】
2014128000.tif 000022
【図２１】
2014128000.tif 000023
【図２２】
2014128000.tif 000024
【図２３】
2014128000.tif 000025
【図２４】
2014128000.tif 000026
【図２５】
2014128000.tif 000027
【図２６】
2014128000.tif 000028
【図２７】
2014128000.tif 000029
【図２８】
2014128000.tif 000030
【図２９】
2014128000.tif 000031
【図３０】
2014128000.tif 000032
【図３１】
2014128000.tif 000033
【図３２】
2014128000.tif 000034
【図３３】
2014128000.tif 000035
【図３４】
2014128000.tif 000036
【図３５】
2014128000.tif 000037
【図３６】
2014128000.tif 000038